(57)【要約】【課題】  作業員に重労働を強いることなく、短時間で取り付けることができ、また、溶接金網の施工位置の調整を容易に行うことができるスペーサを提供する。【解決手段】  スペーサ１は、溶接金網の枡目の寸法に応じた距離を隔てて互いに平行に配した一対の第１フレーム部材１１と、両第１フレーム部材の間に架設した一対の第２フレーム部材１２とを備え、第１フレーム部材１１は、施工対象面に当接させる底部１１ｂと、底部１１ｂの両端部を立ち上げてなる立上り部１１ｃと、両立上り部の両端部から互いに離隔する方向へ延設したアーム部１１ｄと、両アーム部の先端部分に設けられた固定部１１ｅとを具備し、底部１１ｂ，１１ｂの長手方向の中途位置にはそれぞれ、格子状体を施工する施工対象面に当接させる脚部１５，１５が垂下してある。【選択図】  図１
2020056189.tif 000002
【特許請求の範囲】
【請求項１】
格子状に配した複数の縦条材及び複数の横条材が交差する部分を接合してなり、各縦条材及び各横条材にて形成された複数の枡目を有する格子状体に取り付けられ、当該格子状体と格子状体を施工する施工対象面との間に間隙を設けるスペーサにおいて、
前記格子状体の相隣る両縦条材の間、又は相隣る両横条材の間に架設すべく、互いに平行に配した一対の第１フレーム部材と、両第１フレーム部材の間に架設した一対の第２フレーム部材とを備え、
前記第１フレーム部材の両端部にそれぞれ、前記両縦条材又は両横条材に外嵌させて固定するための固定部が設けてあり、また、第１フレーム部材の長手方向の中途部分に両固定部にバネ力を付与するための本体が設けてあり、
前記本体に、当該第１フレーム部材を施工対象面から離隔した高さ位置に保持するための脚部が垂下してある
ことを特徴とするスペーサ。
【請求項２】
前記本体は、線分状の底部と、該底部の両端部をそれぞれ立ち上げてなる立上り部とを設けてＵ字状に構成してあり、
該本体の両側にはそれぞれアーム部が、前記底部と略平行な姿勢で延設してあり、
両アーム部の先端にそれぞれ、アーム部から立ち上がり、第１フレーム部材と直交する軸回りに、第１フレーム部材の端部側から第１フレーム部材の中央側へ向かって曲成された固定部が設けてある
請求項１記載のスペーサ。
【請求項３】
前記脚部は帯材にて形成してある請求項１又は２記載のスペーサ。
【請求項４】
前記脚部は、Ｕ字状の条材にて形成してある請求項１又は２記載のスペーサ。
【請求項５】
前記第１フレーム部材の本体には、前記格子状体上に重畳される他の格子状体の縦条材又は横条材を結合させる第１結合手段が立設してある請求項１から４のいずれかに記載のスペーサ。
【請求項６】
前記第１結合手段は、第１フレーム部材の長手方向へ互いに適宜距離を隔てて立設してなり、前記他の格子状体の縦条材又は横条材を嵌入させてこれを保持する一対の保持部を有しており、
両保持部の頂部は、前記固定部の頂部の高さ位置より高くしてある
請求項５記載のスペーサ。
【請求項７】
各保持部の外側部にはそれぞれ、前記他の格子状体の縦条材又は横条材を、対をなす保持部の間へ案内する案内部が突設してある請求項６記載のスペーサ。
【請求項８】
前記案内部の天井部は、保持部から離隔するに従ってその高さ寸法が低くなるテーパになしてある請求項７記載のスペーサ。
【請求項９】
前記他の格子状体を結合させるべく、両第１フレーム部材と平行に設けたフレーム状の第２本体を有する一対の第２結合手段を更に備え、
両第２本体の両端部にそれぞれ、前記他の格子状体の相隣る両縦条材又は相隣る両横条材に外嵌させて固定するための第２固定部が設けてある
請求項１、２又は４記載のスペーサ。
【請求項１０】
前記第２本体は、Ｕ字状の脚部と、該脚部の両端部からそれぞれ互いに離隔する方向へ漸次傾斜させた脚辺部とを有してＹ字状に成形してあり、
両脚辺部は、前記両第２フレーム部材の間を通って、前記各固定部より高い高さ位置まで延設してあり、
前記脚部の長手方向の適宜部分を第１フレーム部材の本体に固着させて、当該脚部が第１フレーム部材の本体に垂下してある
請求項９記載のスペーサ。
【請求項１１】
各脚辺部の先端にそれぞれ、第２本体から立ち下がり、脚辺部と直交する軸回りに、互いに離隔する方向へ向かって曲成された第２固定部が設けてある請求項１０記載のスペーサ。
【請求項１２】
前記固定部の先端は斜面になしてある請求項１から１１のいずれかに記載のスペーサ。
【請求項１３】
前記第２固定部の先端は斜面になしてある請求項９から１１のいずれかに記載のスペーサ。
【請求項１４】
前記斜面は、両本体の底部にて形成される平面と平行な平面とのなす角の角度が略４５°になしてある請求項１２又は１３記載のスペーサ。
【発明の詳細な説明】
【技術分野】
【０００１】
本発明は、コンクリート内に埋設される溶接金網又は網状のフェンス等、縦条材と横条材とを格子状に構成してなる複数の格子状体を施工対象面から離隔した位置に保持するためのスペーサに関する。
【背景技術】
【０００２】
建物の床といった構造物を建造すべくコンクリートを打設する場合、当該構造物の強度を増大させ、また構造物にクラックが発生することを防止するために、コンクリート内に複数枚の溶接金網を埋設させている。
【０００３】
図１４は従来の溶接金網の施工方法を説明する説明図であり、図中、ＷＭは溶接金網である。溶接金網ＷＭは、複数の縦条材Ｗ１，Ｗ１，…と横条材Ｗ２，Ｗ２，…とを格子状に配してなり、縦条材Ｗ１，Ｗ１，…と横条材Ｗ２，Ｗ２，…とが交差する部分を相互に溶接にて固定してある。
【０００４】
施工対象領域の周囲に図示しない型枠を立設しておき、当該型枠内の全域に複数の溶接金網ＷＭ，ＷＭ，…を敷設する。このとき、相隣る溶接金網ＷＭ，ＷＭはその縁部が複数の枡目（図１４にあっては１枡目）ずつ重畳するようにしてある。次に、溶接金網ＷＭ，ＷＭ，…を順に持ち上げ、図１４に示したように、施工対象面と溶接金網ＷＭ，ＷＭ，…との間にブロック片又は石片といったスペーサ３０，３０，…を介装させ、スペーサ３０，３０，…上に溶接金網ＷＭ，ＷＭ，…を載置する。このようにスペーサ３０，３０，…上に溶接金網ＷＭ，ＷＭ，…を担持することによって、施工対象面から所定寸法だけ隔てた位置に溶接金網ＷＭ，ＷＭ，…を保持する。
【０００５】
そして、相隣る溶接金網ＷＭ，ＷＭの重畳部分に、例えば溶接金網上で作業する作業員によって踏まれた場合であっても相互ズレが発生することを防止するために、針金等の短寸の条材を用いてなる結束材Ｂ，Ｂ，…によって、重畳する両溶接金網ＷＭ，ＷＭを相互に結束する。このようにして施工対象領域に溶接金網ＷＭ，ＷＭ，…への施工が終了した後、型枠内へコンクリートを溶接金網ＷＭ，ＷＭ，…が埋入する所定深さまで投入し、投入したコンクリートの表面を均すのである。
【０００６】
しかし、前述した施工方法では、溶接金網ＷＭ，ＷＭ，…はスペーサ３０，３０，…上に載置されているだけであるため、前述した結束材Ｂ，Ｂ，…による結束作業中に各溶接金網ＷＭ，ＷＭ，…にずれが発生した場合、当該部分に配されたスペーサ３０，３０，…の位置を再度調整しなければならないという問題があった。そのため、後記する特許文献１には次のようなスペーサが開示されている。
【０００７】
図１５は特許文献１に開示されたスペーサの使用様態を示す斜視図である。スペーサ１３１は、５〜６ｍｍ程度の直径の金属線材を屈曲成形してなり、所定距離を隔てて立ち上げた２本の立ち上がり部１３１ｃ，１３１ｃと、両立ち上がり部１３１ｃ，１３１ｃの間に形成され、溶接金網を構成する鉄線を支持する鉄線支持部１３１ｇと、両立ち上がり部１３１ｃ，１３１ｃの下端からそれぞれ水平に折曲され、デッキプレートＤＰ上に載置される載置部１３１ｂ，１３１ｂとを備えている。また、前記鉄線支持部１３１ｇには、両立ち上がり部１３１ｃ，１３１ｃの上端から水平方向へ延設した下側横向き部１３１ｄ，１３１ｄと、両下側横向き部１３１ｄ，１３１ｄからそれぞれ湾曲して立ち上がった弧状部１３１ｅ，１３１ｅと、両弧状部１３１ｅ，１３１ｅの上端間を繋ぐ水平な上側横向き部１３１ｆとを有し、側面視が扁平な螺旋状になしてある。ここで、両下側横向き部１３１ｄ，１３１ｄと上側横向き部１３１ｆとの間の内寸は、溶接金網を構成する鉄線の外径より大きくしてある。
【０００８】
このようなスペーサ１３１にあっては、デッキプレートＤＰ上に敷設された溶接金網ＷＭを持ち上げ、当該溶接金網ＷＭを構成する鉄線を螺旋状の鉄線支持部１３１ｇ内へ挿入し、その状態で当該溶接金網ＷＭを下すことによって、スペーサ１３１の載置部１３１ｂ，１３１ｂをデッキプレートＤＰに当接させ、スペーサ１３１をデッキプレートＤＰ上に立脚させる。このとき、鉄線支持部１３１ｇ内へ挿入された鉄線は、当該スペーサ１３１の両下側横向き部１３１ｄ，１３１ｄ上に担持される。
【先行技術文献】
【特許文献】
【０００９】
【特許文献１】特開２０１０−１８９８５５号公報
【発明の概要】
【発明が解決しようとする課題】
【００１０】
しかしながら、特許文献１に開示されたスペーサ１３１にあっては、スペーサ１３１の鉄線支持部１３１ｇ内へ溶接金網ＷＭの鉄線を挿入させる作業は、前同様、一部を重畳させた各溶接金網ＷＭ，ＷＭ，…を作業員が持ち上げて行わなければならないため、作業員に重労働を強いるのに加え、溶接金網ＷＭの鉄線へのスペーサ１３１の取り付け作業に比較的長い時間を要するという問題があった。
【００１１】
一方、溶接金網ＷＭを構成する鉄線を螺旋状の鉄線支持部１３１ｇ内へ挿入することによって、それ以後はスペーサ１３１が溶接金網ＷＭの動きに追従するものの、当該スペーサ１３１は溶接金網ＷＭに固定されていないため、例えば、敷設した溶接金網ＷＭにずれが発生して、当該溶接金網ＷＭの位置を調整する場合に、スペーサ１３１の鉄線支持部１３１ｇ内へ挿入された鉄線が両下側横向き部１３１ｄ，１３１ｄからずれることがあり、かかる場合、溶接金網ＷＭのスペーサ１３１を取り付けた部分を再度持ち上げ、当該スペーサ１３１を再調整しなければならなかった。
【００１２】
本発明は斯かる事情に鑑みてなされたものであって、作業員に重労働を強いることなく、短時間で取り付けることができ、また、溶接金網の施工位置の調整を容易に行うことができるスペーサを提供する。
【課題を解決するための手段】
【００１３】
（１）本発明に係るスペーサは、格子状に配した複数の縦条材及び複数の横条材が交差する部分を接合してなり、各縦条材及び各横条材にて形成された複数の枡目を有する格子状体に取り付けられ、当該格子状体と格子状体を施工する施工対象面との間に間隙を設けるスペーサにおいて、前記格子状体の相隣る両縦条材の間、又は相隣る両横条材の間に架設すべく、互いに平行に配した一対の第１フレーム部材と、両第１フレーム部材の間に架設した一対の第２フレーム部材とを備え、前記第１フレーム部材の両端部にそれぞれ、前記両縦条材又は両横条材に外嵌させて固定するための固定部が設けてあり、また、第１フレーム部材の長手方向の中途部分に両固定部にバネ力を付与するための本体が設けてあり、前記本体に、当該第１フレーム部材を施工対象面から離隔した高さ位置に保持するための脚部が垂下してあることを特徴とする。
【００１４】
本発明のスペーサにあっては、格子状に配した複数の縦条材及び複数の横条材が交差する部分を接合してなり、各縦条材及び各横条材にて形成された複数の枡目を有する格子状体に取り付けられ、当該格子状体と格子状体を施工する施工対象面との間に間隙を設けるようになしてある。
【００１５】
すなわち、スペーサは、互いに平行に配した一対の第１フレーム部材を備えており、両第１フレーム部材は格子状体の相隣る両縦条材の間、又は相隣る両横条材の間に架設されるようになっている。また、両第１フレーム部材の間には、一対の第２フレーム部材が架設してあり、両第１フレーム部材及び両第２フレーム部材によって、井桁状のフレーム構造が形成されている。
【００１６】
前記両第１フレーム部材の両端部にはそれぞれ、格子状体の両縦条材又は両横条材に外嵌させてそれを固定するための固定部が設けてあり、各固定部を前記両縦条材又は両横条材に外嵌固定させることによって、格子状体を持ち上げることなくスペーサを格子状体にワンタッチで取り付け得るようになっている。従って、作業員に重労働を強いることなく、スペーサを格子状体に短時間で取り付けることができる。
【００１７】
ここで、第１フレーム部材の長手方向の中途部分には本体が設けてあり、該本体によって、当該第１フレーム部材の両端に設けられた両固定部にバネ力を付与する。これによって、前述したスペーサの格子状体へのワンタッチでの取り付け操作を担保する一方、各固定部を両縦条材又は両横条材に強固に固定することができる。このように、スペーサを格子状体に強固に取り付けることができるため、溶接金網といった格子状体の施工位置の調整を行う際に、格子状体に取り付けたスペーサにずれが発生し難く、施工位置の調整を容易に行うことができる。
【００１８】
更に、第１フレーム部材の本体には、当該第１フレーム部材を施工対象面から離隔した高さ位置に保持するための脚部が垂下してあり、かかる脚部によって、畝状の谷部及び山部が交互に配されたデッキプレートの谷部に対向する領域に、格子状体に取り付けられたスペーサが位置する場合であっても、当該スペーサの脚部が谷部内へ進入して格子状体を所定の高さ位置に保持することができ、また、かかる位置にスペーサが存在する場合であっても、当該格子状体の施工位置の調整を容易に行うことができる。
【００１９】
（２）本発明に係るスペーサは、前記本体は、線分状の底部と、該底部の両端部をそれぞれ立ち上げてなる立上り部とを設けてＵ字状に構成してあり、該本体の両側にはそれぞれアーム部が、前記底部と略平行な姿勢で延設してあり、両アーム部の先端にそれぞれ、アーム部から立ち上がり、第１フレーム部材と直交する軸回りに、第１フレーム部材の端部側から第１フレーム部材の中央側へ向かって曲成された固定部が設けてあることを特徴とする。
【００２０】
本発明のスペーサにあっては、前述した本体は、線分状の底部と、この底部の両端部をそれぞれ立ち上げてなる立上り部とを設けてＵ字状に構成してあり、両立上り部同士を離隔する方向へ揺動させると、両立上り部には元の姿勢へ復帰するバネ力が生起される。
【００２１】
一方、本体の両側にはそれぞれアーム部が、前記底部と略平行な姿勢で延設してあり、両アーム部の先端にそれぞれ、アーム部から立ち上がり、第１フレーム部材と直交する軸回りに、第１フレーム部材の端部側から第１フレーム部材の中央側へ向かって曲成された固定部が設けてある。従って、かかる固定部が格子状体の両縦条材又は両横条材に外嵌されると、本体に生起された前記バネ力にて、対をなす固定部間に挟持力が発生するため、各固定部はそれが外嵌した両縦条材又は両横条材に強固に固定される。
【００２２】
（３）本発明に係るスペーサは、前記脚部は帯材にて形成してあることを特徴とする。
【００２３】
本発明のスペーサにあっては、前述した脚部は帯材にて形成してあり、比較的簡単な形状であるため、製造が容易であり、スペーサの製造コストを可及的に廉価にすることができる。ここで帯材は平坦でもよいが、両側を立ち上げてもよく、アーチ状又は波状であってもよい。これによって、脚部の構造強度を高くすることができる。
【００２４】
（４）本発明に係るスペーサは、前記脚部は、Ｕ字状の条材にて形成してあることを特徴とする。
【００２５】
本発明のスペーサにあっては、前述した脚部は、Ｕ字状の条材にて形成してある。かかる構成も比較的簡単であるため、製造が容易であり、スペーサの製造コストを可及的に廉価にすることができる。一方、Ｕ字状の脚部にあっては、前述した第１フレーム部材の本体と同様、バネ力を生起することができる。
【００２６】
（５）本発明に係るスペーサは、前記第１フレーム部材の本体には、前記格子状体上に重畳される他の格子状体の縦条材又は横条材を結合させる第１結合手段が立設してあることを特徴とする。
【００２７】
本発明のスペーサにあっては、前述した第１フレーム部材の本体には、前記格子状体上に重畳される他の格子状体の縦条材又は横条材を結合させる第１結合手段が立設してあるため、前記脚部によって、スペーサが取り付けられた格子状体と共に、重畳された他の格子状体も所定の高さ位置に保持される。また、かかる第１結合手段と前記他の格子状体の縦条材又は横条材とを結合させることによって、当該スペーサが固定された格子状体と前記他の格子状体とをワンタッチで固定することができる。これによって、前述した作用効果に加えて、重畳された２枚の格子状体を結束材で結束する作業が不要となり、未熟な作業員であっても複数の格子状体を短時間で確実に施工することができる。
【００２８】
（６）本発明に係るスペーサは、前記第１結合手段は、第１フレーム部材の長手方向へ互いに適宜距離を隔てて立設してなり、前記他の格子状体の縦条材又は横条材を嵌入させてこれを保持する一対の保持部を有しており、両保持部の頂部は、前記固定部の頂部の高さ位置より高くしてあることを特徴とする。
【００２９】
本発明のスペーサにあっては、前述した第１結合手段は一対の保持部を有している。両保持部は、第１フレーム部材の長手方向へ互いに適宜距離を隔てて立設してなり、前記他の格子状体の縦条材又は横条材を嵌入させてこれを保持するように構成してある。これら両保持部の頂部は、前記固定部の頂部の高さ位置より高くしてあるため、スペーサが格子状体に取り付けられた場合、両保持部が当該格子状体から突出し、その上に重畳された他の格子状体の縦条材又は横条材が、両保持部の間に容易に挿入される。従って、第１結合手段によって、他の格子状体の縦条材又は横条材が確実に結合される。
【００３０】
（７）本発明に係るスペーサは、各保持部の外側部にはそれぞれ、前記他の格子状体の縦条材又は横条材を、対をなす保持部の間へ案内する案内部が突設してあることを特徴とする。
【００３１】
本発明のスペーサにあっては、前述した各保持部の外側部、対をなす他の保持部に対向する側部とは反対側の側部にはそれぞれ、前記他の格子状体の縦条材又は横条材を、対をなす保持部の間へ案内する案内部が突設してある。スペーサが取り付けられた格子状体上に他の格子状体を重畳させる際に、他の格子状体の縦条材又は横条材が、スペーサの保持部上に位置しなかった場合は、他の溶接金網を、当該縦条材又は横条材が保持部上に位置するように平行に移動させるが、このとき、保持部に前記案内部が突設されていないと、他の溶接金網の縦条材又は横条材が保持部に当接するため、円滑な平行移動が阻害される。しかしながら、本発明に係るスペーサにあっては、保持部の外側部に案内部が設けてあるため、他の溶接金網の縦条材又は横条材が案内部上を摺動し、他の溶接金網を円滑に平行移動させることができる。
【００３２】
（８）本発明に係るスペーサは、前記案内部の天井部は、保持部から離隔するに従ってその高さ寸法が低くなるテーパになしてあることを特徴とする。
【００３３】
本発明のスペーサにあっては、前述した案内部の天井部は、保持部から離隔するに従ってその高さ寸法が低くなるテーパになしてある。つまり、かかるテーパにあっては、案内部の天井が、当該案内部に対応する第２フレーム部材から離隔するに従ってその高さ寸法が高くなっており、これによって、他の格子状体の縦条材又は横条材が、スペーサの保持部上に位置しなかった際に行う当該他の溶接金網の平行移動をより円滑に実施することができる。
【００３４】
（９）本発明に係るスペーサは、前記他の格子状体を結合させるべく、両第１フレーム部材と平行に設けたフレーム状の第２本体を有する一対の第２結合手段を更に備え、両第２本体の両端部にそれぞれ、前記他の格子状体の相隣る両縦条材又は相隣る両横条材に外嵌させて固定するための第２固定部が設けてあることを特徴とする。
【００３５】
本発明のスペーサにあっては、前述した他の格子状体を結合させるべく、一対の第２結合手段を更に備えている。両第２結合手段は、前述した両第１フレーム部材と平行に設けたフレーム状の第２本体を有しており、第２本体は前記他の格子状体の相隣る縦条材又は相隣る横条材の間に架設させるようになっている。そして、両第２本体の両端部にはそれぞれ、前記他の格子状体の相隣る両縦条材又は相隣る両横条材に外嵌させて固定するための第２固定部が設けてある。かかるスペーサでは、前同様、両第１フレーム部材を格子状体の相隣る両縦条材の間に配置し、両第１フレーム部材の両端部にそれぞれ設けた固定部を当該両縦条材に固定することによって、又は、両第１フレーム部材を格子状体の相隣る両横条材の間に配置し、両第１フレーム部材の両端部にそれぞれ設けた固定部を当該両縦条材に固定することによって、当該スペーサを格子状体にワンタッチで取り付けておく。
【００３６】
かかる格子状体上に他の格子状体を、両者の枡目が略一致するように重畳させた後、前述した第２結合手段の両端部にそれぞれ設けられた第２固定部を、当該他の格子状体の相隣る両縦条材又は相隣る両横条材に外嵌させることによって、他の格子状体の当該両縦条材又は両横条材を固定し、一の格子状体と他の格子状体とをワンタッチで固定する。これによって、前述した作用効果に加えて、２枚の格子状体を両者の枡目が略一致するように重畳させる場合であっても、両者をワンタッチで固定することができる。従って、作業員に重労働を強いることなく、未熟な作業員であっても複数の格子状体を短時間で確実に施工することができる。
【００３７】
（１０）本発明に係るスペーサは、前記第２本体は、Ｕ字状の脚部と、該脚部の両端部からそれぞれ互いに離隔する方向へ漸次傾斜させた脚辺部とを有してＹ字状に成形してあり、両脚辺部は、前記両第２フレーム部材の間を通って、前記各固定部より高い高さ位置まで延設してあり、前記脚部の長手方向の適宜部分を第１フレーム部材の本体に固着させて、当該脚部が第１フレーム部材の本体に垂下してあることを特徴とする。
【００３８】
本発明のスペーサにあっては、前述した第２本体は、Ｕ字状の脚部と、該脚部の両端部からそれぞれ互いに離隔する方向へ漸次傾斜させた脚辺部とを有してＹ字状に成形してあり、両脚辺部は、前記両第２フレーム部材の間を通って、前記各固定部より高い高さ位置まで延設してあり、これによって脚辺部にはバネ力が生起される一方、枡目が略一致するように重畳された他の格子状体の縦条材又は横条材を容易に結合させることができる。
【００３９】
（１１）本発明に係るスペーサは、各脚辺部の先端にそれぞれ、第２本体から立ち下がり、脚辺部と直交する軸回りに、互いに離隔する方向へ向かって曲成された第２固定部が設けてあることを特徴とする。
【００４０】
本発明のスペーサにあっては、前述した各脚辺部の先端にそれぞれ、第２本体から立ち下がり、脚辺部と直交する軸回りに、互いに離隔する方向へ向かって曲成された第２固定部が設けてある。
【００４１】
第１フレーム部材に設けた固定部は、前述した如く第１フレーム部材から立ち上がり、第１フレーム部材と直交する軸回りに、第１フレーム部材の端部側から第１フレーム部材の中央側へ向かって曲成して構成してあり、これによって、一の格子状体の枡目を構成する両縦条材又は両横条材を、第１フレーム部材の端部にそれぞれ設けた第１固定部によって持ち上げるように挟持して外嵌固定する。
【００４２】
一方、第２固定部は、第２本体から立ち下がり、第２本体と直交する軸回りに、互いに離隔する方向へ向かって曲成して構成してあり、これによって第２結合手段は、枡目が略一致するように重畳された他の格子状体の相隣る両縦条材又は相隣る両横条材の間に突っ張るように配され、第２固定部は両縦条材又は両横条材を押し下げるように外嵌固定する。
【００４３】
このような固定部及び第２固定部にあっては、格子状体の相隣る両縦条材又は両横条材、及び他の格子状体の相隣る両縦条材又は両横条材にワンタッチで固定することができる。一方、固定部は格子状体の相隣る両縦条材又は両横条材を持ち上げるように挟持する一方、第２固定部は重畳された他の格子状体の相隣る両縦条材又は両横条材にこれを押し下げるように外嵌するため、前記格子状体及び他の格子状体は本スペーサによって挟持され、両格子状体が互いに離隔することが防止される。
【００４４】
（１２）本発明に係るスペーサは、前記固定部の先端は斜面になしてあることを特徴とする。
【００４５】
本発明のスペーサにあっては、固定部の先端は斜面になしてあるため、前述した如く格子状体の縦条材又は横条材を固定部に固定させる場合、当該縦条材又は横条材が固定部の先端面上を摺動して、固定部内へ進入するため、縦条材又は横条材と固定部との固定作業を円滑に実施することができる。
【００４６】
（１３）本発明に係るスペーサは、前記第２固定部の先端は斜面になしてあることを特徴とする。
【００４７】
本発明のスペーサにあっては、前述した第２固定部の先端は斜面になしてあるため、前述した如く他の格子状体の縦条材又は横条材を第２固定部に固定させる場合、当該縦条材又は横条材が第２固定部の先端面上を摺動して、第２固定部内へ進入するため、縦条材又は横条材と第２固定部との固定作業を円滑に実施することができる。
【００４８】
（１４）本発明に係るスペーサは、前記斜面は、両本体の底部にて形成される平面と平行な平面とのなす角の角度が略４５°になしてあることを特徴とする。
【００４９】
本発明のスペーサにあっては、前述した斜面は、両本体の底部にて形成される平面と平行な平面とのなす角の角度が略４５°になしてある。これによって、固定部又は第２固定部と縦条材又は横条材との固定作業をより円滑に実施することができるとともに、固定部に結合された一の格子状体を構成する縦条材又は横条材の周面、又は第２固定部に結合された他の格子状体を構成する縦条材又は横条材の周面に、固定部の先端の斜面の端縁、又は第２固定部の先端の斜面の端縁が係合し、固定部又は第２固定部からそこに固定された縦条材及び横条材が抜出することが防止される。
【図面の簡単な説明】
【００５０】
【図１】本発明に係るスペーサの一例を示す斜視図である。
【図２】図１に示したスペーサを取り付けた溶接金網を、施工対象面であるデッキプレート上に施工した状態を説明する説明図である。
【図３】本発明に係るスペーサの他例を示す正面図である。
【図４】本発明に係るスペーサの他例を示す平面図である。
【図５】溶接金網に複数のスペーサを固定した一例を示す平面図である。
【図６】図５に示した如くスペーサを固定した２枚の溶接金網を施工した状態を示す平面図である。
【図７】２枚の溶接金網を重畳させた部分の拡大斜視図である。
【図８】２枚の溶接金網を重畳させた部分の拡大斜視図である。
【図９】本実施の形態に係るスペーサを取り付けた溶接金網をデッキプレート上に敷設し、その一部を重畳させた他の溶接金網を前記スペーサにて固定した状態を示す部分斜視図である。
【図１０】図３及び図４に示したスペーサの他例を示す斜視図である。
【図１１】発明を実施するための第３の形態に係るスペーサを示す斜視図である。
【図１２】図１１に示したスペーサを取り付けた溶接金網と、該溶接金網上に重畳させた他の溶接金網とをスペーサにて結合固定した状態の一例を説明するための一部省略部分斜視図である。
【図１３】スペーサを取り付けた溶接金網と、該溶接金網上に重畳させた他の溶接金網とをスペーサにて結合固定した状態の他例を説明するための一部省略部分斜視図である。
【図１４】従来の溶接金網の施工方法を説明する説明図である。
【図１５】特許文献１に開示されたスペーサの使用様態を示す斜視図である。
【発明を実施するための形態】
【００５１】
本発明に係るスペーサを図面に基づいて詳述する。
なお、本発明を実施するための形態で説明するスペーサは、本発明の趣旨を説明する一例であり、本発明はその趣旨を逸脱しない範囲での変形や改造を含むことはいうまでもない。
【００５２】
（発明を実施するための第１の形態）
図１は本発明に係るスペーサの一例を示す斜視図である。スペーサ１は、棒状材を倒立凸形状に成形してなる一対の第１フレーム部材１１，１１と、短寸棒状の一対の第２フレーム部材１２，１２とを備えており、第１フレーム部材１１，１１の両端部にはそれぞれ、溶接金網に固定するための固定部１１ｅ，１１ｅ、１１ｅ，１１ｅが設けてある。これら第１フレーム部材１１，１１と第２フレーム部材１２，１２とは、後述する如く平面視が井桁状に固定してある。
【００５３】
前述した第１フレーム部材１１は、直線分状の底部１１ｂの両端部をそれぞれ立ち上がらせて立上り部１１ｃ，１１ｃとし、全体としてＵ字状に成形されたバネ力を有する本体１１ａを有している。この本体１１ａの両側からそれぞれ、短寸のアーム部１１ｄ，１１ｄが前記底部１１ｂと略平行な姿勢で互いに離隔する方向へ延設してあり、両アーム部１１ｄ，１１ｄの先端部分は、前記立上り部１１ｃ，１１ｃと平行な姿勢で立ち上がらせるとともに、アーム部１１ｄに直交する軸回りに、互いに外側へ湾曲させて前述したフック状の固定部１１ｅ，１１ｅが形成されている。すなわち、両固定部１１ｅ，１１ｅは共に内巻きに曲成して構成してある。
【００５４】
第１フレーム部材１１に設けられた両固定部１１ｅ，１１ｅの内底部間の寸法は、スペーサ１を取り付ける溶接金網を構成する相隣る縦条材間の外寸又は相隣る横条材間の外寸より僅かに小さい値にしてあり、また、両固定部１１ｅ，１１ｅの曲率は前記縦条材又は横条材の周面の曲率と略同じ値にしてある。前記両固定部１１ｅ，１１ｅは、前記溶接金網の縦条材の周面又は横条材の周面に、当該周面の周方向へ１／４を少し超える範囲で外嵌し得る長さ寸法にしてある。また、前記両固定部１１ｅ，１１ｅの先端面ＳＴ，ＳＴは、平行配置された本体１１ａ，１１ａの両底部１１ｂ，１１ｂにて形成される平面と平行な平面Ｈとのなす角αが略４５°になる斜面になしてあり、これによって先端面ＳＴ，ＳＴの先端部が前記溶接金網の縦条材の周面又は横条材の周面に係合し得るようになっている。
【００５５】
平行配置された両第１フレーム部材１１，１１間の寸法は、スペーサ１を取り付ける溶接金網を構成する相隣る縦条材間の寸法又は相隣る横条材間の寸法より短くしてあり、前述した両第２フレーム部材１２，１２が、両第１フレーム部材１１，１１のアーム部１１ｄ，１１ｄ、１１ｄ，１１ｄの周面であって、前述した固定部１１ｅとは１８０°異なる位置の間に架設してある。この第２フレーム部材１２，１２の長さ寸法もスペーサ１を取り付ける溶接金網を構成する相隣る縦条材間の寸法又は相隣る横条材間の寸法より短くしてあり、対向配置された両第２フレーム部材１２，１２間の寸法も同様に、相隣る縦条材間の寸法又は相隣る横条材間の寸法より短くなしてある。
【００５６】
なお、図１に示したスペーサ１では、両第１フレーム部材１１，１１のアーム部１１ｄ，１１ｄ、１１ｄ，１１ｄの間にそれぞれ第２フレーム部材１２，１２を架設した場合について示したが、本発明はこれに限らず、両第１フレーム部材１１，１１の立上り部１１ｃ，１１ｃの適宜位置の間、両第１フレーム部材１１，１１の底部１１ｂ，１１ｂの適宜位置の間等、両第１フレーム部材１１，１１の適宜の位置の間等々、種々の位置に架設することができる。
【００５７】
一方、図１に示した如く、前述した第１フレーム部材１１，１１の底部１１ｂ，１１ｂの長手方向の中途位置にはそれぞれ、格子状体を施工する施工対象面に当接させる脚部１５，１５が垂下してある。脚部１５は、帯板の両側を立ち上げた様態になした平面視が略コ字状の脚本体１６を具備しており、脚本体１６の一端には、第１フレーム部材１１の直径と略同じ幅寸法の板片状の天井部１８が第１フレーム部材１１と平行な姿勢で固着してある。
【００５８】
なお、脚部１５，１５の長さ寸法は、後述するデッキプレートＤＰの谷部ＤＢ（図２参照）の深さ寸法に応じて定めればよい。即ち、スペーサ１の脚部１５，１５がデッキプレートＤＰの谷部ＤＢに挿入された際に、当該スペーサ１が取り付けられた溶接金網ＷＭがデッキプレートＤＰの山部ＤＭから所定の高さ位置に保持されるように脚部１５，１５の長さ寸法を定める。
【００５９】
脚本体１６、１６を構成する両側部１７，１７、１７，１７には、対応する天井部１８，１８から第１フレーム部材１１の直径と略同じ寸法だけ切欠いて切欠き部がそれぞれ設けてあり、両側部１７，１７、１７，１７の切欠き部に臨む縁部には、第１フレーム部材１１，１１に固着させるための固着用片１９，１９、１９，１９が対応する天井部１８，１８と対向させて立設してある。かかる固着用片１９，１９、１９，１９と対応する天井部１８，１８とによって、第１フレーム部材１１，１１を挟持し得るように構成されており、固着用片１９，１９、１９，１９と対応する天井部１８，１８との間に第１フレーム部材１１，１１の底部１１ｂ，１１ｂを挟持させ、その状態で、固着用片１９，１９、１９，１９と第１フレーム部材１１，１１とを、また天井部１８，１８と第１フレーム部材１１，１１とを溶接又は接着等によって固着させてある。なお、図１に示したスペーサ１にあってはそれらをスポット溶接によって固着させてある。
【００６０】
なお、本実施の形態で示したスペーサ１にあっては、天井部１８を設けた場合について説明したが、本発明はこれに限らず、天井部１８を設けることなく、固着用片１９，１９を第１フレーム部材１１に固着させることによって、脚部１５を第１フレーム部材１１に連結させるようにしてもよい。かかる構成にあっては、スペーサ１を相対的に単純化できるため、スペーサ１の製造コストをより廉価にすることができる。一方、天井部１８を設ける構成にあっては、天井部１８と固着用片１９，１９とによって第１フレーム部材１１を挟持する構成であるため、第１フレーム部材１１に脚部１５を固着させる作業を容易に実施することができる。
【００６１】
更に、本発明はこれに限らず、固着用片１９，１９、１９，１９を設けることなく、脚本体１６，１６と対応する第１フレーム部材１１，１１とをアーク溶接等によって固着させてもよい。
【００６２】
図２は、図１に示したスペーサ１を取り付けた溶接金網を、施工対象面であるデッキプレート上に施工した状態を説明する説明図であり、図中、図１に示した部分に対応する部分には同じ番号が付してある。
【００６３】
格子状体の一例である溶接金網ＷＭは、複数の縦条材Ｗ１，Ｗ１，…と、複数の横条材Ｗ２，Ｗ２，…とを所定距離を隔てて格子状に配してあり、両者の交差部分を溶接固定してある。また、溶接金網ＷＭには、各縦条材Ｗ１，Ｗ１，…及び各横条材Ｗ２，Ｗ２，…にて囲まれる複数の枡目Ｍ，Ｍ，…が複数行複数列になるように形成されている。一方、溶接金網ＷＭの各縦条材Ｗ１，Ｗ１，…は同じ面内に、各横条材Ｗ２，Ｗ２，…は別の面内に配置されており、縦条材Ｗ１，Ｗ１，…が横条材Ｗ２，Ｗ２，…の上に位置する側を溶接金網ＷＭの表とすると、縦条材Ｗ１，Ｗ１，…が横条材Ｗ２，Ｗ２，…の下に位置する側が溶接金網ＷＭの裏となる。
【００６４】
なお、縦条材Ｗ１及び横条材Ｗ２は便宜的に名付けたものであり、溶接金網ＷＭと観察者との相対位置によって、縦条材Ｗ１が横方向に配置され、横条材Ｗ２が縦方向に配置される場合があることはいうまでもない。また、縦条材Ｗ１，Ｗ１，…の長さ寸法は横条材Ｗ２，Ｗ２，…の長さ寸法より長くしてもよく、その逆でもよく、更に、縦条材Ｗ１，Ｗ１，…の長さ寸法が横条材Ｗ２，Ｗ２，…の長さ寸法と同じであってもよい。
【００６５】
一方、デッキプレートＤＰは、例えば畝状の２本の山部ＤＭ，ＤＭとその間の谷部ＤＢとを具備してなり、両山部ＤＭ，ＤＭの外側に前記谷部ＤＢの半分の幅寸法になしたフランジ部ＤＦ（ＤＦ）をそれぞれ設け、相隣るデッキプレートＤＰ，ＤＰの対向する両フランジ部ＤＦ、（ＤＦ）を連結することによって前同様な谷部ＤＢが形成されるようになっている。
【００６６】
建造物の骨格を形成するように複数の骨材が組み付けられて、対向する骨材の間にデッキプレートＤＰ，ＤＰ，…を架設して、建造物の床底とすべく、施工対象面が形成される。
【００６７】
図２に示したように、複数行複数列の各枡目Ｍ，Ｍ，…の内、適宜の枡目Ｍ中にスペーサ１を、両第１フレーム部材１１，１１が当該枡目Ｍを形成する相隣る縦条材Ｗ１，Ｗ１間に掛け渡す様態で配置し、第１フレーム部材１１，１１の両端部にそれぞれ設けた固定部１１ｅ，１１ｅ、１１ｅ，１１ｅを前記両縦条材Ｗ１，Ｗ１に外嵌固定することによって、スペーサ１が溶接金網ＷＭに取り付けてある。
【００６８】
ここで、前述した如く固定部１１ｅ，１１ｅ、１１ｅ，１１ｅの先端面ＳＴ，ＳＴ、ＳＴ，ＳＴは平面Ｈとのなす角α（いずれも図１参照）が略４５°になる斜面になしてあるため、スペーサ１を溶接金網ＷＭに固定すべく、固定部１１ｅ，１１ｅ、１１ｅ，１１ｅを溶接金網ＷＭの縦条材Ｗ１，Ｗ１に外嵌させる際、先端面ＳＴ，ＳＴ、ＳＴ，ＳＴ上を縦条材Ｗ１，Ｗ１の周面が摺動して、縦条材Ｗ１，Ｗ１を固定部１１ｅ，１１ｅ、１１ｅ，１１ｅ内に容易に挿入させることができる。
【００６９】
このとき、例えば、溶接金網ＷＭの表裏を逆にしておき、当該溶接金網ＷＭの前記枡目Ｍ上にスペーサ１を上下を逆にして配置し、当該枡目Ｍを形成する相隣る縦条材Ｗ１，Ｗ１に固定部１１ｅ，１１ｅ、１１ｅ，１１ｅの先端面ＳＴ，ＳＴ、ＳＴ，ＳＴに当接させる。この状態で、スペーサ１に押圧を印加すると、本体１１ａ，１１ａの対をなす立上り部１１ｃ，１１ｃ、１１ｃ，１１ｃが離隔する方向へ開き、縦条材Ｗ１，Ｗ１が固定部１１ｅ，１１ｅ、１１ｅ，１１ｅの先端を乗り越えて、固定部１１ｅ，１１ｅ、１１ｅ，１１ｅ内に嵌入し、その後、立上り部１１ｃ，１１ｃ、１１ｃ，１１ｃが元の姿勢に復帰するため、スペーサ１が溶接金網ＷＭに固着される。このようにスペーサ１を溶接金網ＷＭにワンタッチで固定することができるため、作業員に重労働を強いることなく、スペーサ１を溶接金網ＷＭに短時間で取り付けることができる。
【００７０】
なお、かかる取付作業は、溶接金網ＷＭの施工現場で実施してもよいし、溶接金網ＷＭの製造工場で実施しておき、複数のスペーサ１，１，…を取り付けた溶接金網ＷＭを施工現場まで搬送するようにしてもよい。
【００７１】
このようにして、スペーサ１が取り付けられた溶接金網ＷＭを、図２に示した如く、デッキプレートＤＰ上の所定位置に配置した後、当該スペーサ１の脚部１５，１５をデッキプレートＤＰの谷部ＤＢに当接させるように溶接金網ＷＭを敷設する。溶接金網ＷＭのデッキプレートＤＰの谷部ＤＢに対向する領域は、スペーサ１によって、デッキプレートＤＰの山部ＤＭから所定の高さだけ離隔する位置に保持される。
【００７２】
このとき、スペーサ１は溶接金網ＷＭに固定部１１ｅ，１１ｅ、１１ｅ，１１ｅの４点で固定してあるため、スペーサ１を取り付けた溶接金網ＷＭをデッキプレートＤＰ上に敷設する際、及び敷設した溶接金網ＷＭの位置を調整する場合にも、当該スペーサ１に溶接金網ＷＭ上でのズレが発生することが防止される。従って、溶接金網ＷＭの施工位置の調整を容易に行うことができる。
【００７３】
なお、本形態では、第１フレーム部材１１と脚部１５とを別体として、両者を固着させてスペーサ１を構成した場合について説明したが、本発明はこれに限らず、第１フレーム部材１１と脚部１５とを一体的に構成しても良いことは言うまでも無い。
【００７４】
（発明を実施するための第２の形態）
図３及び図４は本発明に係るスペーサの他例を示す正面図及び平面図であり、当該スペーサを取り付けた溶接金網上に重畳された他の溶接金網を固定し得るように構成してある。なお、両図中、図１に対応する部分には同じ番号又は対応する番号を付してある。
【００７５】
スペーサ１ａを構成する第１フレーム部材１１，１１の底部１１ｂ，１１ｂの長手方向の略中央位置には、スペーサ１ａを取り付けた溶接金網に重畳される他の溶接金網の相隣る縦条材又は相隣る横条材を結合させる第１結合手段１４，１４がそれぞれ設けてある。
【００７６】
第１結合手段１４は、縦方向に長い長方形板状の本体１４ａの中心軸上に、当該本体１４ａの天井位置から底部近傍の位置に亘るＵ字状の切欠きを設けて構成してある。この切欠きは、その内部に前記他の溶接金網の縦条材又は横条材を挿入させる挿入部１４ｅになっており、本体１４ａの挿入部１４ｅの両側の部分は、該挿入部１４ｅ内に挿入された縦条材又は横条材を保持する一対の保持部１４ｂ，１４ｂになしてある。
【００７７】
一方、かかる第１結合手段１４，１４を構成する本体１４ａ，１４ａはそれぞれ、第１フレーム部材１１，１１の前記保持部１４ｂ，１４ｂ、１４ｂ，１４ｂとは反対側へ適宜長さだけ延設して脚部１５ａ，１５ａが形成されている。なお、本脚部１５ａ，１５ａの長さ寸法も、図１に示した脚部１５，１５と同様、デッキプレートＤＰの谷部ＤＢ（図２参照）の深さ寸法に応じて定めてある。
【００７８】
なお、本実施の形態にあっては、第１結合手段１４の本体１４ａと脚部１５ａとを一体的に構成した場合について示したが、本発明はこれに限らず、第１結合手段１４の本体１４ａと脚部１５ａとを各別に構成してもよいことは言うまでも無い。
【００７９】
挿入部１４ｅの本体１４ａの天井側には、該挿入部１４ｅ内へ他の溶接金網の縦条材又は横条材を挿入させるための挿入口１４ｃが設けてあり、前述した保持部１４ｂ，１４ｂの挿入口１４ｃに対向する部分にはそれぞれ、嘴状の抜止部１４ｄ，１４ｄが突設してある。すなわち、両抜止部１４ｄ，１４ｄの間である挿入口１４ｃの幅寸法は、挿入部１４ｅの幅寸法より小さくなっており、これによって挿入部１４ｅ内に挿入された縦条材又は横条材が挿入部１４ｅから抜け出ないようになっている。また、両抜止部１４ｄ，１４ｄの天井部はそれぞれ、挿入口１４ｃへ向かうに従って両抜止部１４ｄ，１４ｄの間の距離が短くなるテーパになっており、これによって前記他の溶接金網の縦条材又は横条材は挿入口１４ｃへ案内される。
【００８０】
前述した保持部１４ｂ，１４ｂは、互いに離隔する方向へ撓むことが可能になっており、挿入口１４ｃへ案内された他の溶接金網の縦条材又は横条材に押力が印加されると、保持部１４ｂ，１４ｂが互いに離隔する方向へ撓むため、挿入口１４ｃの幅寸法が相対的に大きくなり、当該縦条材又は横条材が挿入口１４ｃを通過して挿入部１４ｅ内へ挿入され、その後、保持部１４ｂ，１４ｂが元の姿勢に復帰するため、挿入口１４ｃの幅寸法も元に戻り、挿入部１４ｅ内に挿入された縦条材又は横条材が挿入部１４ｅから抜け出ることが防止される。これによって当該縦条材又は横条材が第１結合手段１４に結合される。
【００８１】
一方、第１フレーム部材１１の底部１１ｂから保持部１４ｂの天井位置までの高さ寸法は、前記底部１１ｂから第１フレーム部材１１の固定部１１ｅの天井位置までの高さ寸法より大きくしてあり、スペーサ１ａを溶接金網に固定した場合、スペーサ１ａの保持部１４ｂ，１４ｂ、１４ｂ，１４ｂは当該溶接金網から突出した様態になる。
【００８２】
かかるスペーサ１ａは一の溶接金網に予め固定されるようになっているため、当該スペーサ１ａの第１結合手段１４，１４に他の溶接金網の縦条材又は横条材を前述した如く結合させることによって、当該溶接金網とこれに重畳された他の溶接金網とが相互に固定される。
【００８３】
前述した両保持部１４ｂ，１４ｂの外側部には、前記他の溶接金網の縦条材又は横条材を案内する三角形状のガイド部１４ｆ，１４ｆが突設してある。ガイド部１４ｆの天井辺は、保持部１４ｂの天井部から底部に向かうに従って当該ガイド部１４ｆの幅寸法が広くなるテーパになしてある。即ち、ガイド部１４ｆはその高さ寸法が保持部１４ｂから離隔するに従って漸次低くなるテーパになっている。また、ガイド部１４ｆの幅寸法は、当該ガイド部１４ｆと対向する第１フレーム部材１１との間に、前記他の溶接金網の縦条材又は横条材が進入し得ない値になしてある。
【００８４】
スペーサ１ａを取り付けた溶接金網上に他の溶接金網を重畳させた際に、当該他の溶接金網の縦条材又は横条材が、スペーサ１ａの対をなす保持部１４ｂ，１４ｂ、１４ｂ，１４ｂ上に位置しなかった場合は、他の溶接金網を、当該縦条材又は横条材が保持部１４ｂ，１４ｂ、１４ｂ，１４ｂに位置するように平行に移動させるが、このとき、保持部１４ｂ，１４ｂ、１４ｂ，１４ｂに前述したガイド部１４ｆ，１４ｆ、１４ｆ，１４ｆが設けられていないと、他の溶接金網が保持部１４ｂ，１４ｂ、１４ｂ，１４ｂに当接するため、円滑な平行移動が阻害される。しかしながら、本発明に係るスペーサ１ａにあっては、保持部１４ｂ，１４ｂ、１４ｂ，１４ｂに前述したガイド部１４ｆ，１４ｆ、１４ｆ，１４ｆが設けてあるため、他の溶接金網の縦条材又は横条材がガイド部１４ｆ，１４ｆ、１４ｆ，１４ｆ上を摺動し、他の溶接金網を円滑に平行移動させることができる。
【００８５】
また、本体１４ａの内面底部側には、脚部１５ａの天井部１８ａ，１８ａ及び固着用片１９ａ，１９ａが所定距離を隔てて互いに平行に突設してあり、天井部１８ａ，１８ａ及び固着用片１９ａ，１９ａ間に第１フレーム部材１１の底部１１ｂを嵌入させて両者を溶接又は接着等によって固着させることによって、本体１４ａが対応する第１フレーム部材１１の外側に固定されている。
【００８６】
なお、本実施の形態では、本体１４ａと第１フレーム部材１１とを別体に構成した場合について示したが、本発明はこれに限らず、鋳造等によって、本体１４ａと第１フレーム部材１１とを一体的に構成してもよい。更に、本実施の形態では、本体１４ａを対応する第１フレーム部材１１の外側に固定した場合について示したが、本発明はこれに限らず、本体１４ａを対応する第１フレーム部材１１上又は対応する第１フレーム部材１１の内側に固定してもよい。
【００８７】
ところで、対をなす保持部１４ｂ，１４ｂ、１４ｂ，１４ｂに突設したガイド部１４ｆ，１４ｆ、１４ｆ，１４ｆは、対応する本体１４ａ，１４ａと面一の姿勢になしてもよいが、両第１フレーム部材１１，１１より外側又は内側へ屈曲させた場合、前述した天井部１８ａ，１８ａ及び固着用片１９ａ，１９ａを対応する第１フレーム部材１１にスポット溶接によって固着させる際に、溶接機の電極がガイド部１４ｆ，１４ｆ、１４ｆ，１４ｆに接触する事故を回避することができるため好適である。
【００８８】
なお、本実施の形態では、第１結合手段１４，１４の本体１４ａ，１４ａを対応する第１フレーム部材１１，１１に固定すべく、当該本体１４ａ，１４ａに天井部１８ａ，１８ａ及び固着用片１９ａ，１９ａを突設した場合について説明したが、本発明はこれに限らず、それらを設けることなく、第１結合手段１４，１４の本体１４ａ，１４ａと対応する第１フレーム部材１１，１１とをアーク溶接等によって固着させてもよい。この場合、対をなす保持部１４ｂ，１４ｂ、１４ｂ，１４ｂに突設したガイド部１４ｆ，１４ｆ、１４ｆ，１４ｆは、対応する本体１４ａ，１４ａと面一になすことができる。
【００８９】
図５は溶接金網に複数のスペーサを固定した一例を示す平面図である。なお、図中、図３及び図４に示した部分に対応する部分には同じ番号が付してある。
【００９０】
図５に示したように、溶接金網ＷＭは、複数の縦条材Ｗ１，Ｗ１，…と複数の横条材Ｗ２，Ｗ２，…とを所定距離を隔てて格子状に配してあり、両者の交差部分を溶接してある。また、溶接金網ＷＭには、各縦条材Ｗ１，Ｗ１，…及び各横条材Ｗ２，Ｗ２，…にて囲まれる複数の枡目Ｍ，Ｍ，…が複数行複数列になるように形成されている。ここで、図５に示した溶接金網ＷＭにあっては、縦条材Ｗ１，Ｗ１，…の長さ寸法は横条材Ｗ２，Ｗ２，…の長さ寸法より短くしてあり、これによって長方形状の格子状体が形成されている。なお、縦条材Ｗ１，Ｗ１，…の長さ寸法は横条材Ｗ２，Ｗ２，…の長さ寸法より長くしてもよく、また、縦条材Ｗ１，Ｗ１，…の長さ寸法は横条材Ｗ２，Ｗ２，…の長さ寸法と同じにしてもよい。
【００９１】
また、溶接金網ＷＭの各縦条材Ｗ１，Ｗ１，…は同じ面内に、各横条材Ｗ２，Ｗ２，…は別の面内に配置されており、縦条材Ｗ１，Ｗ１，…が横条材Ｗ２，Ｗ２，…の上に位置する側を溶接金網ＷＭの表とすると、縦条材Ｗ１，Ｗ１，…が横条材Ｗ２，Ｗ２，…の下に位置する側が溶接金網ＷＭの裏となる。図５に示した場合にあっては、溶接金網ＷＭは表になるように敷設されている。なお、溶接金網ＷＭは裏になるように敷設される場合もある。
【００９２】
そして、図５に示したように、複数行複数列の各枡目Ｍ，Ｍ，…の内、先頭行又は末尾行の端の枡目Ｍと、当該枡目Ｍと同じ行であって横方向の略中央位置の枡目Ｍにスペーサ１ａ，１ａをそれぞれ配置してある。前者のスペーサ１ａにあっては、両第１フレーム部材１１，１１が当該枡目Ｍを形成する相隣る横条材Ｗ２，Ｗ２に平行な姿勢になしてあり、第１フレーム部材１１，１１の両端部にそれぞれ設けた固定部１１ｅ，１１ｅ、１１ｅ，１１ｅが当該枡目Ｍを形成する相隣る縦条材Ｗ１，Ｗ１に外嵌固定してある。一方、後者のスペーサ１にあっては、両第１フレーム部材１１，１１が当該枡目Ｍを形成する相隣る縦条材Ｗ１，Ｗ１に平行な姿勢になしてあり、第１フレーム部材１１，１１の両端部にそれぞれ設けた固定部１１ｅ，１１ｅ、１１ｅ，１１ｅが当該枡目Ｍを形成する相隣る横条材Ｗ２，Ｗ２に外嵌固定してある。
【００９３】
また、前者のスペーサ１ａにおいては、両第１結合手段１４，１４は縦条材Ｗ１の長手方向へ配列されており、これによって両第１結合手段１４，１４に他の溶接金網の縦条材が結合されるようになっている。一方、後者のスペーサ１においては、両第１結合手段１４，１４は横条材Ｗ２の長手方向へ配列されており、これによって両第１結合手段１４，１４に他の溶接金網の横条材が結合されるようになっている。
【００９４】
ここで、前述した如く固定部１１ｅ，１１ｅ、１１ｅ，１１ｅの先端面ＳＴ，ＳＴ、ＳＴ，ＳＴは平面Ｈとのなす角α（いずれも図１参照）が略４５°になる斜面になしてあるため、スペーサ１を溶接金網ＷＭに固定すべく、固定部１１ｅ，１１ｅ、１１ｅ，１１ｅを溶接金網ＷＭの縦条材Ｗ１又は横条材Ｗ２に外嵌させる際、先端面ＳＴ，ＳＴ、ＳＴ，ＳＴ上を縦条材Ｗ１又は横条材Ｗ２の周面が摺動して、縦条材Ｗ１又は横条材Ｗ２を固定部１１ｅ，１１ｅ、１１ｅ，１１ｅ内に容易に挿入させることができる。
【００９５】
このとき、例えばスペーサ１ａを適当な作業場に、スペーサ１ａの底部１１ｂが作業場に当接するように設置しておき、このスペーサ１ａ上に溶接金網ＷＭを当該溶接金網ＷＭの所定枡目Ｍが位置するように配置すると、当該枡目Ｍを形成する相隣る縦条材Ｗ１，Ｗ１又は相隣る横条材Ｗ２，Ｗ２が固定部１１ｅ，１１ｅ、１１ｅ，１１ｅの先端面ＳＴ，ＳＴ、ＳＴ，ＳＴに当接する。この状態で、溶接金網ＷＭに押圧を印加すると、前述した如く先端面ＳＴ，ＳＴ、ＳＴ，ＳＴ上を縦条材Ｗ１又は横条材Ｗ２が摺動して、縦条材Ｗ１，Ｗ１又は横条材Ｗ２，Ｗ２を固定部１１ｅ，１１ｅ、１１ｅ，１１ｅ内に容易に嵌入させることができる。
【００９６】
また、前述した如く溶接金網ＷＭに押圧を印加した場合、第１フレーム部材１１，１１の対をなす立上り部１１ｃ，１１ｃ、１１ｃ，１１ｃが離隔する方向へ開き、縦条材Ｗ１又は横条材Ｗ２が固定部１１ｅ，１１ｅ、１１ｅ，１１ｅの先端を乗り越えて、固定部１１ｅ，１１ｅ、１１ｅ，１１ｅ内に嵌入し、その後、立上り部１１ｃ，１１ｃ、１１ｃ，１１ｃが元の姿勢に復帰するため、スペーサ１ａが溶接金網ＷＭに固着される。このようにスペーサ１ａを溶接金網ＷＭにワンタッチで固定することができるため、作業員に重労働を強いることなく、スペーサ１ａを溶接金網ＷＭに短時間で取り付けることができる。
【００９７】
このようにして、所定位置にスペーサ１ａ，１ａを固定した複数の溶接金網ＷＭ，ＷＭ，…を用い、次のようにして各溶接金網ＷＭ，ＷＭ，…を施工対象面に施工する。
【００９８】
図６は図５に示した如くスペーサ１ａ，１ａを固定した２枚の溶接金網ＷＭ，ＷＭを施工した状態を示す平面図であり、図７及び図８は２枚の溶接金網ＷＭ，ＷＭを重畳させた部分の拡大斜視図である。なお、これらの図中、図３及び図４に示した部分に対応する部分には同じ番号が付してある。
【００９９】
図６に示したように、前述した表の状態でスペーサ１ａ，１ａが固定された溶接金網ＷＭ（図６中左側）を施工対象面の適宜位置に施設しておき、表の溶接金網ＷＭの隅にスペーサ１ａが固定された短辺側であって溶接金網ＷＭの長手方向へ、裏の状態でスペーサ１ａ，１ａが固定された溶接金網ＷＭ（図６中右側）を配すとともに、裏の溶接金網ＷＭのスペーサ１ａが固定されてない短辺側を前記表の溶接金網ＷＭ上に、溶接金網ＷＭの枡目Ｍが１つ半重畳するように配設する。これによって、図７に示したように、裏の溶接金網ＷＭの縦条材Ｗ１が表の溶接金網ＷＭの隅に固定されたスペーサ１ａの両第１結合手段１４，１４の挿入口１４ｃ，１４ｃ上に配置される。
【０１００】
このとき、裏の溶接金網ＷＭの縦条材Ｗ１が表の溶接金網ＷＭの隅に固定されたスペーサ１ａの両第１結合手段１４，１４の挿入口１４ｃ，１４ｃ上に配置されずに、ずれてしまった際には、裏の溶接金網ＷＭを平行移動させて、裏の溶接金網ＷＭの縦条材Ｗ１を表の溶接金網ＷＭのスペーサ１ａの前記挿入口１４ｃ，１４ｃ上に位置させるが、両第１結合手段１４，１４を構成する保持部１４ｂ，１４ｂ、１４ｂ，１４ｂに前述したガイド部１４ｆ，１４ｆ、１４ｆ，１４ｆが設けてあるため、他の溶接金網の縦条材又は横条材がガイド部１４ｆ，１４ｆ、１４ｆ，１４ｆ上を摺動し、裏の溶接金網ＷＭを円滑に平行移動させることができる。また、スペーサ１ａは溶接金網ＷＭに固定部１１ｅ，１１ｅ、１１ｅ，１１ｅの４点で固定してあるため、スペーサ１ａを取り付けた溶接金網ＷＭを平行移動させる際、当該スペーサ１ａに溶接金網ＷＭ上でのズレが発生することが防止される。従って、溶接金網ＷＭの移動操作を容易に行うことができる。
【０１０１】
前述した如く、裏の溶接金網ＷＭの縦条材Ｗ１を、表の溶接金網ＷＭの隅に固定されたスペーサ１ａの両第１結合手段１４，１４の挿入口１４ｃ，１４ｃ上に配置させた後、裏の溶接金網ＷＭの当該縦条材Ｗ１に押圧を印加することによって、図８に示したように、当該縦条材Ｗ１を前述した如く両第１結合手段１４，１４内へ嵌入させ、縦条材Ｗ１を第１結合手段１４，１４に結合させる。これによって、表の溶接金網ＷＭと裏の溶接金網ＷＭとをワンタッチで確実に固定することができる。
【０１０２】
ところで、両溶接金網ＷＭ，ＷＭに固定されたスペーサ１ａは、前述した如くＵ字状に成形された本体１１ａを有しており、該本体１１ａの両端に底部１１ｂと略平行な姿勢で延設されたアーム部１１ｄ，１１ｄ先端の固定部１１ｅ，１１ｅ、１１ｅ，１１ｅによって溶接金網ＷＭが固定されているため、溶接金網ＷＭ，ＷＭはスペーサ１ａによって施工対象面から離隔した状態で支持されている。このように本発明に係るスペーサ１ａは固定具としての機能も有している。
【０１０３】
従って、前述したように複数のスペーサ１ａ，１ａ，…を各溶接金網ＷＭ，ＷＭ，…の所定位置に予め固定しておき、得られた溶接金網ＷＭ，ＷＭ，…を、例えば図６に示したように相隣る溶接金網ＷＭ，ＷＭ，…の一部が重畳するように施工対象面上に敷設し、各スペーサ１ａ，１ａ，…の固定部１１ｅ，１１ｅ、１１ｅ，１１ｅ、１１ｅ，１１ｅ、１１ｅ，１１ｅ、…，…、…，…と各溶接金網ＷＭ，ＷＭ，…の縦条材Ｗ１，Ｗ１，…又は横条材Ｗ２，Ｗ２，…とを結合させるだけで、従来の溶接金網ＷＭ，ＷＭ，…及びスペーサの施工並びに結束作業といった施工作業を一度に行うことができる。
【０１０４】
図９は、本実施の形態に係るスペーサ１ａを取り付けた溶接金網ＷＭをデッキプレートＤＰ上に敷設し、その一部を重畳させた他の溶接金網を前記スペーサ１ａにて固定した状態を示す部分斜視図である。前述した如く、デッキプレートＤＰは複数の畝状の山部ＤＭ，ＤＭ，…が所定の間隔で突設してあり、相隣る山部ＤＭ，ＤＭ、ＤＭ，ＤＭ、…，…間は谷部ＤＢ，ＤＢ，…になっている。溶接金網ＷＭに固定されたスペーサ１ａはデッキプレートＤＰ上に、その第１フレーム部材１１，１１がデッキプレートＤＰの山部ＤＭ，ＤＭ，…と平行になるように配置してある。
【０１０５】
そして、スペーサ１ａが取り付けられた溶接金網ＷＭを、図９に示した如く、デッキプレートＤＰ上の所定位置に配置した後、当該スペーサ１ａの脚部１５ａ，１５ａをデッキプレートＤＰの谷部ＤＢに当接させるように溶接金網ＷＭを敷設する。溶接金網ＷＭのデッキプレートＤＰの谷部ＤＢに対向する領域は、スペーサ１ａによって、デッキプレートＤＰの山部ＤＭから所定の高さだけ離隔する位置に保持される。
【０１０６】
なお、本形態では、第１結合手段１４の本体１４ａ及び脚部１５ａが、平行をなす第１フレーム部材１１，１１の内側に配設してある場合について示したが、本発明はこれに限らず、図１０に示したように、平行をなす第１フレーム部材１１，１１の内側に、第１結合手段１４の本体１４ａ及び脚部１５ａを配設するように構成してもよいことは言うまでも無い。なお、図１０中、図１に示した部分に対応する部分には対応する符号が付してある。
【０１０７】
（発明を実施するための第３の形態）
図１１は発明を実施するための第３の形態に係るスペーサを示す斜視図であり、前述した第１結合手段１４（図３参照）とは異なる構成の第２結合手段２４が設けてある。なお、図１１中、図３及び図４に示した部分に対応する部分には同じ番号を付してその説明を省略する。
【０１０８】
本スペーサ１ｂにあっては、平行配置された両第１フレーム部材１１，１１の内側にそれぞれ、当該スペーサ１ｂを取り付けた溶接金網に重畳される他の溶接金網の相隣る縦条材又は相隣る横条材を結合させる一対の第２結合手段２４，２４が配設してある。第２結合手段２４は、条材をＹ字形状に形成してなりバネ力を有する第２本体２４ａ，２４ａを具備している。第２本体２４ａのＹ字の足部に相当する部分は、略矩形Ｕ字形に成形して施工対象面に立脚させる脚部２４ｂになしてあり、該脚部２４ｂの両端部からそれぞれ、互いに離隔する方向へ漸次傾斜するように延設して脚辺部２４ｃ，２４ｃが形成されている。この脚部２４ｂの脚辺部２４ｃ，２４ｃ近傍の周面を前述した第１フレーム部材１１の底部１１ｂに溶接又は接着等によって固着させて、第２結合手段２４が第１フレーム部材１１に固定してある。
【０１０９】
第２本体２４ａの両脚辺部２４ｃ，２４ｃは、前述した第２フレーム部材１２，１２の間を通って、第１フレーム部材１１の第１固定部１１ｅ，１１ｅより高い位置まで延設してあり、両脚辺部２４ｃ，２４ｃの端部にはそれぞれ、前記他の溶接金網の相隣る縦条材又は相隣る横条材を係合固定させる第２固定部２４ｅ，２４ｅが設けてある。なお、両脚辺部２４ｃ，２４ｃは第２フレーム部材１２，１２に接触しない傾斜角にしてある。
【０１１０】
前述した如く第１フレーム部材１１の第１固定部１１ｅ，１１ｅは、互いに対向する姿勢で第１フレーム部材１１のコ字状の本体１１ａの内側へ向かって曲成してある一方、第２結合手段２４の第２固定部２４ｅ，２４ｅは、第１フレーム部材１１の底部１１ｂに直行する軸回りに、互いに離隔する姿勢で第２本体２４ａの外側へ向かって曲成してある。第２結合手段２４の第２固定部２１ｅ，２１ｅの曲率は、第１フレーム部材１１の第１固定部１１ｅ，１１ｅの曲率と同様、溶接金網の縦条材又は横条材の周面の曲率と略同じ値にしてあり、第２固定部２４ｅ，２４ｅは、溶接金網の縦条材の周面又は横条材の周面に、当該周面の周方向へ１／４を少し超える範囲で外嵌し得る長さ寸法にしてある。
【０１１１】
また、第２固定部２４ｅ，２４ｅの先端面ＳＴ２，ＳＴ２は、前述した平面Ｈとのなす角αが略４５°になる斜面になしてあり、これによって先端面ＳＴ２，ＳＴ２はその先端部が、本スペーサ１ｂを取り付けた溶接金網に重畳された他の溶接金網の縦条材の周面又は横条材の周面に係合するようになっている。
【０１１２】
図１２は、図１１に示したスペーサ１ｂを取り付けた溶接金網と、該溶接金網上に重畳させた他の溶接金網とをスペーサ１ｂにて結合固定した状態の一例を説明するための一部省略部分斜視図である。なお、図１２中、図１１に示した部分に対応する部分には同じ番号が付してある。また、本例にあっては、下側の溶接金網ＷＭ及び上側の溶接金網ＷＭは共に表の状態であり、下側の溶接金網ＷＭ上に上側の溶接金網ＷＭが、両者の枡目Ｍ，Ｍが重なり合う、即ち両者の枡目Ｍ，Ｍの位置が上下で一致するように重畳させてある。なお、図１２にあっては、下側の溶接金網ＷＭ及び上側の溶接金網ＷＭはいずれも、前記枡目Ｍ，Ｍを構成する相隣る横条材Ｗ２の内の一方の横条材を省略してある。
【０１１３】
図１２に示したように、スペーサ１ｂは下側の溶接金網ＷＭに取り付けてある。即ち、下側の溶接金網ＷＭの枡目Ｍ内にスペーサ１ｂの本体１１ａ，１１ａ及び第２本体２４ａ，２４ａが配してあり、当該枡目Ｍを構成する相隣る縦条材Ｗ１，Ｗ１に、スペーサ１ｂの第１固定部１１ｅ，１１ｅ、１１ｅ，１１ｅを枡目Ｍの外側から内側へ向かって外嵌させて、スペーサ１ｂが当該縦条材Ｗ１，Ｗ１間に架設するように下側の溶接金網ＷＭに固定してある。
【０１１４】
前同様、スペーサ１ｂを適当な作業場に、例えばスペーサ１ｂの脚部２４ｂ，２４ｂが当該作業場に当接するように設置しておき、このスペーサ１ｂ上に溶接金網ＷＭを当該溶接金網ＷＭの所定枡目Ｍが位置するように配置すると、当該枡目Ｍを形成する相隣る縦条材Ｗ１，Ｗ１又は相隣る横条材Ｗ２，Ｗ２が固定部１１ｅ，１１ｅ、１１ｅ，１１ｅの先端面ＳＴ，ＳＴ、ＳＴ，ＳＴに当接する。この状態で、溶接金網ＷＭに押圧を印加すると、前述した如く先端面ＳＴ，ＳＴ、ＳＴ，ＳＴ上を縦条材Ｗ１又は横条材Ｗ２が摺動して、縦条材Ｗ１，Ｗ１又は横条材Ｗ２，Ｗ２を固定部１１ｅ，１１ｅ、１１ｅ，１１ｅ内に容易に嵌入させることができる。
【０１１５】
また、前述した如く溶接金網ＷＭに押圧を印加した場合、第１フレーム部材１１，１１の対をなす立上り部１１ｃ，１１ｃ、１１ｃ，１１ｃが離隔する方向へ開き、縦条材Ｗ１又は横条材Ｗ２が固定部１１ｅ，１１ｅ、１１ｅ，１１ｅの先端を乗り越えて、固定部１１ｅ，１１ｅ、１１ｅ，１１ｅ内に嵌入し、その後、立上り部１１ｃ，１１ｃ、１１ｃ，１１ｃが元の姿勢に復帰するため、スペーサ１ｂが溶接金網ＷＭに固着される。このようにスペーサ１ｂを溶接金網ＷＭにワンタッチで固定することができるため、作業員に重労働を強いることなく、スペーサ１ｂを溶接金網ＷＭに短時間で取り付けることができる。
【０１１６】
このようにしてスペーサ１ｂが取り付けられた溶接金網ＷＭを、前同様、デッキプレートＤＰ上の所定位置に配置した後、当該スペーサ１ｂの脚部２４ｂ，２４ｂをデッキプレートＤＰの谷部ＤＢ（何れも図９参照）に当接させるように溶接金網ＷＭを敷設する。溶接金網ＷＭのデッキプレートＤＰの谷部ＤＢに対向する領域は、スペーサ１ｂによって、デッキプレートＤＰの山部ＤＭから所定の高さだけ離隔する位置に保持される。
【０１１７】
この状態で、上側の溶接金網ＷＭを下側の溶接金網ＷＭ上に、両者の枡目Ｍ，Ｍが重なり合うように重畳させると、上側の溶接金網ＷＭの当該枡目Ｍを構成する相隣る縦条材Ｗ１，Ｗ１の周面がスペーサ１ｂの第２結合手段２４，２４を構成する第２固定部２４ｅ，２４ｅ、２４ｅ，２４ｅの先端面ＳＴ２，ＳＴ２、ＳＴ２，ＳＴ２上に載置される。そして、上側の溶接金網ＷＭに押圧を印加することによって、当該縦条材Ｗ１，Ｗ１及び／又は横条材Ｗ２（Ｗ２）に第２固定部２４ｅ，２４ｅ、２４ｅ，２４ｅを、枡目Ｍの内側から外側へ向かって外嵌させる。これによって、上側の溶接金網ＷＭが第２結合手段２４，２４に結合され、下側の溶接金網ＷＭと上側の溶接金網ＷＭとがスペーサ１ｂにてワンタッチで固定されるため、施工者及び作業員に重労働を強いることなく、未熟な施工者及び作業員であっても複数の溶接金網を短時間で確実に施工することができる。
【０１１８】
なお、前述した上側の溶接金網ＷＭの縦条材Ｗ１，Ｗ１及び／又は横条材Ｗ２（Ｗ２）への押圧の印加は、施工者の足で縦条材又は横条材を踏むことによって実施すると好適である。例えば、二人の施工者が一枚の溶接金網ＷＭを挟持して、当該溶接金網ＷＭをデッキプレートＤＰ上の定められた位置に、先に配置された一又は複数の溶接金網ＷＭにその縁部が、各溶接金網ＷＭ，ＷＭの枡目Ｍ，Ｍが重なり合うように重畳させた後、スペーサ１ｂの上に位置する溶接金網ＷＭの縦条材Ｗ１，Ｗ１及び／又は横条材Ｗ２（Ｗ２）を踏み付けて、スペーサ１ｂの第２結合手段２４，２４に当該溶接金網ＷＭの縦条材Ｗ１，Ｗ１及び／又は横条材Ｗ２（Ｗ２）を結合させるのである。これによって、新たな溶接金網の配置、及び、先に配置された溶接金網と当該新たな溶接金網との固定を、一回の作業で実施することができ、作業効率が可及的に高くすることができる。なお、かかる操作は前述したスペーサ１ａを取り付けた溶接金網ＷＭにも同様に適用することができる。
【０１１９】
ここで、第２結合手段２４を構成する両先端面ＳＴ２，ＳＴ２間の外寸は、溶接金網ＷＭの枡目Ｍを構成する縦条材Ｗ１，Ｗ１又は横条材Ｗ２，Ｗ２の間の内寸より若干大きくしてある。一方、第２結合手段２４を構成する両脚辺部２４ｃ，２４ｃは、互いに接近する方向へ撓むことが可能になっており、第２結合手段２４の先端面ＳＴ２，ＳＴ２上に載置された上側の溶接金網ＷＭの縦条材Ｗ１，Ｗ１に押力が印加されると、第２結合手段２４の脚辺部２４ｃ，２４ｃが互いに接近する方向へ撓むため、上側の溶接金網ＷＭの縦条材Ｗ１，Ｗ１が第２結合手段２４の第２固定部２１ｅ，２１ｅを乗り越え、その後、両脚辺部２４ｃ，２４ｃが元の姿勢に復帰するため、上側の溶接金網ＷＭの縦条材Ｗ１，Ｗ１に第２固定部２４ｅ，２４ｅが枡目Ｍの内側から外側へ向かって外嵌される。
【０１２０】
なお、図１２にあっては、下側の溶接金網ＷＭ及び上側の溶接金網ＷＭが共に表の状態である領域について説明したが、下側の溶接金網ＷＭ及び上側の溶接金網ＷＭが共に裏の状態である領域であっても、これと同様に、下側の溶接金網ＷＭ上に上側の溶接金網ＷＭを、両者の枡目Ｍ，Ｍが重なり合うように重畳させて、前同様の結合固定操作を実施する。
【０１２１】
一方、下側の溶接金網ＷＭが表であり、上側の溶接金網ＷＭが裏の状態である２つの溶接金網については、スペーサ１ｂにて次のように両者を固定する。
【０１２２】
図１３は、スペーサを取り付けた溶接金網と、該溶接金網上に重畳させた他の溶接金網とをスペーサにて結合固定した状態の他例を説明するための一部省略部分斜視図である。なお、図１３中、図１２に示した部分に対応する部分には同じ番号が付してある。
【０１２３】
図１３に示したように、下側の溶接金網ＷＭが表であり、上側の溶接金網ＷＭが裏の状態である場合にあっては、両溶接金網ＷＭ，ＷＭを、下側の溶接金網ＷＭの横条材Ｗ２，Ｗ２と上側の溶接金網ＷＭの横条材Ｗ２，Ｗ２との間に、下側の溶接金網ＷＭの縦条材Ｗ１，Ｗ１及び上側の溶接金網ＷＭの縦条材Ｗ１，Ｗ１が挟持され、下側の溶接金網ＷＭの縦条材Ｗ１，Ｗ１と上側の溶接金網ＷＭの縦条材Ｗ１，Ｗ１とが互いに重なり合わないように相隣らせて、重畳させる。
【０１２４】
スペーサ１ｂは、下側の溶接金網ＷＭの上側の溶接金網ＷＭが重畳される領域の相隣る横条材Ｗ２，Ｗ２間に架設してあり、スペーサ１ｂの対をなす第２固定部２１ｅ，２１ｅ、２１ｅ，２１ｅの間に、当該溶接金網ＷＭの縦条材Ｗ１と横条材Ｗ２，Ｗ２とがそれぞれ交叉する交叉部Ｘ，Ｘ及び当該交差部Ｘ，Ｘを構成する縦条材Ｗ１がそれぞれ嵌入されるように取り付けてある。
【０１２５】
このとき、前同様、スペーサ１ｂを溶接金網ＷＭに固定すべく、スペーサ１ｂ又は溶接金網ＷＭに押圧を印加すると、本体１１ａ，１１ａの対をなす立上り部１１ｃ，１１ｃ、１１ｃ，１１ｃが離隔する方向へ開き、横条材Ｗ２，Ｗ２が固定部１１ｅ，１１ｅ、１１ｅ，１１ｅの先端を乗り越えて、固定部１１ｅ，１１ｅ、１１ｅ，１１ｅ内に嵌入し、その後、立上り部１１ｃ，１１ｃ、１１ｃ，１１ｃが元の姿勢に復帰するため、スペーサ１ｂが下側の溶接金網ＷＭに固着される。これによって、スペーサ１ｂを溶接金網ＷＭにワンタッチで固定することができるため、作業員に重労働を強いることなく、スペーサ１ｂを溶接金網ＷＭに短時間で取り付けることができる。
【０１２６】
この状態で、上側の溶接金網ＷＭを下側の溶接金網ＷＭ上に、下側の溶接金網ＷＭの縦条材Ｗ１，Ｗ１と上側の溶接金網ＷＭの縦条材Ｗ１，Ｗ１とが相隣るように重畳させると、上側の溶接金網ＷＭの相隣る横条材Ｗ２，Ｗ２の周面がスペーサ１ｂの第２結合手段２４，２４を構成する第２固定部２４ｅ，２４ｅ、２４ｅ，２４ｅの先端面ＳＴ２，ＳＴ２、ＳＴ２，ＳＴ２上に載置されるので、上側の溶接金網ＷＭに押圧を印加することによって、当該横条材Ｗ２，Ｗ２に第２固定部２４ｅ，２４ｅ、２４ｅ，２４ｅを、枡目Ｍの内側から外側へ向かって外嵌させてある。
【０１２７】
前述した如くスペーサ１ｂにて上側の溶接金網ＷＭを固定すべく、上側の溶接金網ＷＭに押圧を印加すると、第２本体２４ａ，２４ａの対をなす脚辺部２４ｃ，２４ｃ、２４ｃ，２４ｃが接近する方向へ撓み、横条材Ｗ２，Ｗ２が第２固定部２４ｅ，２４ｅ、２４ｅ，２４ｅの先端を乗り越えて、第２固定部２４ｅ，２４ｅ、２４ｅ，２４ｅ内に嵌入し、その後、脚辺部２４ｃ，２４ｃ、２４，２４ｃが元の姿勢に復帰するため、上側の溶接金網ＷＭの横条材Ｗ２，Ｗ２がスペーサ１ｂの第２結合手段２４，２４に結合され、スペーサ１ｂによって両溶接金網ＷＭ，ＷＭが固定される。
【０１２８】
これによって、重畳させた両溶接金網ＷＭ，ＷＭをワンタッチで固定することができるため、施工者及び作業員に重労働を強いることなく、未熟な施工者及び作業員であっても複数の溶接金網を短時間で確実に施工することができる。
【０１２９】
一方、スペーサ１ｂの対をなす第２固定部２４ｅ，２４ｅ、２４ｅ，２４ｅの間に、上側の溶接金網ＷＭの交差部Ｘ，Ｘ及び当該交差部Ｘを構成する縦条材Ｗ１が、既に嵌入されている下側の溶接金網ＷＭの交差部Ｘ，Ｘ及び当該交差部Ｘを構成する縦条材Ｗ１と相隣る様態で嵌入されている。これによって、上側の溶接金網ＷＭは縦方向及び横方向へのずれが防止される。
【０１３０】
ところで、下側の溶接金網ＷＭが裏であり、上側の溶接金網ＷＭが表の状態である場合にあっては、両溶接金網ＷＭ，ＷＭを、下側の溶接金網ＷＭの横条材Ｗ２（Ｗ２）及び上側の溶接金網ＷＭの横条材Ｗ２（Ｗ２）の下上に、下側の溶接金網ＷＭの縦条材Ｗ１（Ｗ１）及び上側の溶接金網ＷＭの縦条材Ｗ１（Ｗ１）が位置する状態になし、下側の溶接金網ＷＭの横条材Ｗ２（Ｗ２）と上側の溶接金網ＷＭの横条材Ｗ２（Ｗ２）とが互いに重なり合わないように相隣らせて、重畳させる。
【０１３１】
かかる場合、スペーサ１ｂは、下側の溶接金網ＷＭの上側の溶接金網ＷＭが重畳される領域の相隣る縦条材Ｗ１，Ｗ１間に架設し、スペーサ１ｂの対をなす第２固定部２４ｅ，２４ｅ、２４ｅ，２４ｅの間に、当該溶接金網ＷＭの縦条材Ｗ１と横条材Ｗ２，Ｗ２とが交叉する交叉部Ｘ，Ｘ及び当該交差部Ｘ，Ｘを構成する横条材Ｗ２がそれぞれ嵌入されるように取り付ける。
【０１３２】
かかる場合も前同様、スペーサ１ｂの対をなす第２固定部２４ｅ，２４ｅ、２４ｅ，２４ｅの間に、上側の溶接金網ＷＭの交差部Ｘ，Ｘ及び当該交差部Ｘを構成する横条材Ｗ２が、既に嵌入されている下側の溶接金網ＷＭの交差部Ｘ，Ｘ及び当該交差部Ｘを構成する横条材Ｗ２と相隣る様態で嵌入されるため、上側の溶接金網ＷＭは縦方向及び横方向へのずれが防止される。
【０１３３】
なお、本スペーサ１〜１ｂは溶接金網以外にも、金属製又は樹脂製の網状のフェンスといった他の格子状体にも適用できることは言うまでもない。
【符号の説明】
【０１３４】
１      スペーサ
１ａ    スペーサ
１ｂ    スペーサ
１１      第１フレーム部材
１１ａ    本体
１１ｂ    底部
１１ｃ    立上り部
１１ｄ    アーム部
１１ｅ    固定部
１２      第２フレーム部材
１４      第１結合手段
１４ｂ    保持部
１４ｃ    挿入口
１４ｆ    ガイド部
１４ｅ    挿入部
２４      第２結合手段
２４ａ    第２本体
２４ｂ    脚部
２４ｃ    脚辺部
２４ｅ    第２固定部
ＳＴ        先端面
ＳＴ２      先端面
ＷＭ        溶接金網
Ｗ１        縦条材
Ｗ２        横条材
Ｍ        枡目
Ｈ        平面
【図１】
2020056189.tif 000003
【図２】
2020056189.tif 000004
【図３】
2020056189.tif 000005
【図４】
2020056189.tif 000006
【図５】
2020056189.tif 000007
【図６】
2020056189.tif 000008
【図７】
2020056189.tif 000009
【図８】
2020056189.tif 000010
【図９】
2020056189.tif 000011
【図１０】
2020056189.tif 000012
【図１１】
2020056189.tif 000013
【図１２】
2020056189.tif 000014
【図１３】
2020056189.tif 000015
【図１４】
2020056189.tif 000016
【図１５】
2020056189.tif 000017